(57)【要約】  本発明は、例えばパーソナルコンピュータに代表される電子機器に関し、ＩＣカードを好適な位置に配置することを目的とし、上面奥寄りの位置にキーボード２１が配置された短形板状の本体ユニット２０と、その本体ユニット２０内の奥側半分の方が手前側半分と比べ発熱量が大きくなるようにその本体ユニット２０に内蔵された発熱部品と、その本体ユニット２０の前端面に形成された、ＩＣカードが挿抜自在に挿入されるカードスロットとを備えた。
2007086118.tif 000002
【特許請求の範囲】
【請求項１】
電子機器において、
短形板状の筐体と、
前記筐体内の奥側半分の方が手前側半分と比べ発熱量が大きくなるように該筐体内に内蔵された発熱部品と、
前記筐体の前端面に形成された、ＩＣカードが挿抜自在に挿入されるカードスロットとを備えたことを特徴とする電子機器。
【請求項２】
前記筐体内の手前寄りの位置に、前記カードスロットから挿入されたＩＣカードをアクセスするカードドライブが配備され、該カードドライブの横にハードディスク装置が配備され、該カードドライブおよび該ハードディスク装置よりも奥側に、発熱部品であるＣＰＵが配備されていることを特徴とする請求項１記載の電子機器。
【請求項３】
前記ＩＣカードが、Ｂ−ＣＡＳカードであることを特徴とする請求項１記載の電子機器。
【請求項４】
前記筐体はその上面奥寄りの位置にキーボードが配置されたものであり、前記筐体に対し開閉自在であって表示画面が配置された短形板状の第２の筐体を備えたことを特徴とする請求項１記載の電子機器。
【発明の詳細な説明】
【技術分野】
【０００１】
本発明は、例えばパーソナルコンピュータに代表される電子機器に関する。
【背景技術】
【０００２】
近年、パーソナルコンピュータ（以下では、パソコンあるいはＰＣと略記する）が、オフィスのみでなく家庭内にも広く普及してきている。このパソコンの一形態として、上面にキーボードを備えた本体ユニットとその本体ユニットに対し開閉自在であって表示画面を備えた表示ユニットとを有し、使用時には本体ユニットに対し表示ユニットを立てた位置に開き、不使用時には表示画面がキーボード上に重なるように折り畳んでおく、いわゆるノート型パーソナルコンピュータ（以下、ノートＰＣと略記する）が知られている。【０００３】
また、近年では、上面に表示画面を有し全体が１つの板状に形成され、表示画面にペンを近接もしくは接触させてその近接もしくは接触位置を認識させることにより指示を入力する形式の、いわゆるタブレット型パーソナルコンピュータ（以下、タブレットＰＣと略記する）が登場してきている。【０００４】
さらに近年では、本体ユニットと表示ユニットを、開閉自在かつ回動自在に軸支する二軸の連結部を介して連結し、表示ユニットを立ててノートＰＣとして使用可能であるとともに、表示ユニットを本体ユニット上に、表示画面を上向きとした状態に重ねてタブレットＰＣとしても使用可能な電子機器が登場してきている。【０００５】
パソコン等の電子機器一般についても小型化が求められているが、特に上記のようなノートＰＣやタブレットＰＣ等の場合は可搬性が強く求められているため、小型化、薄型化が強く要請されている。近年では、ノートＰＣ等にも、据え置き型のいわゆるデスクトップパソコンと比べても退けをとらないだけの高機能が搭載されてきており、益々の高機能化が進んできている。したがって、このような高機能化の流れに遅れをとることなく、しかも小型化、薄型化を実現し、しかも高い操作性を維持することが求められている。【０００６】
ここで、ノートＰＣ等においても近年では機種によっては、テレビ受像機能が内蔵されており、近年ではさらにデジタル放送に対応したテレビ受像機能が内蔵されてきている。ここで、デジタル放送では、映像が暗号化されて放送されており、正規の受信機には、その暗号化を解除するための、ＩＣカードの一種であるＢ−ＣＡＳカード（ＢＳ−Ｃｏｎｄｅｔｉｏｎａｌ  Ａｃｃｅｓｓ  Ｓｙｓｔｅｍｓ  Ｃａｒｄ）が同梱されており、そのＢ−ＣＡＳカードを受信機器に差し込むことによって暗号化が解除されてＴＶ放送を楽しむことができるようになっている。このため、ノートＰＣ等においても、デジタルＴＶ放送受像機能を内蔵した機種については、Ｂ−ＣＡＳカードを差し込む構造となっている（特許文献１〜４参照。）。【０００７】
【特許文献１】特開２００４−１０９３９６号公報
【特許文献２】特開２００４−２７４５９０号公報
【特許文献３】特開２００５−１６７９９３号公報
【特許文献４】特開２００５−１９８０４４号公報
【０００８】
ここで、Ｂ−ＣＡＳカード等のＩＣカードは、比較的熱に弱く、例えば５０℃以下の環境に保つ必要がある。ところがノートＰＣ等には、例えばＣＰＵ等の大規模ＬＳＩが搭載され、その内部がかなり発熱し、そこにＩＣカードを不用意に配置すると容易に５０℃を越えてしまう結果となる。また、Ｂ−ＣＡＳカードはできるだけ挿抜が容易な箇所に配置することが好ましい。【０００９】
本発明は、上記事情に鑑み、ＩＣカードが好適な位置に配置された電子機器を提供することを目的とする。
【発明の開示】
【００１０】
上記目的を達成する本発明の電子機器は、
短形板状の筐体と、
上記筐体内の奥側半分の方が手前側半分と比べ発熱量が大きくなるようにその筐体内に内蔵された発熱部品と、
上記筐体の前端面に形成された、ＩＣカードが挿抜自在に挿入されるカードスロットとを備えたことを特徴とする。
【００１１】
本発明の電子機器は、筐体内の奥側半分に発熱量の大きな部品を配備し、筐体の前端面にＩＣカード用のカードスロットを配置したため、ＩＣカードの挿抜に便利であると共に、温度の影響を低減することができる。
【００１２】
ここで、本発明の電子機器において、上記筐体内の手前寄りの位置に、カードスロットから挿入されたＩＣカードをアクセスするカードドライブが配備され、そのカードドライブの横にハードディスク装置が配備され、それらのカードドライブおよびハードディスク装置よりも奥側に、発熱部品であるＣＰＵが配備されていることが好ましい。
【００１３】
ハードディスク装置も高温環境を避けるべき機器であり、カードドライブの横に配備することが好ましい。
【００１４】
ここで、上記ＩＣカードは、Ｂ−ＣＡＳカードであってもよい。
【００１５】
また、この電子機器は、上記筐体はその上面奥寄りの位置にキーボードが配置されたものであり、上記筐体に対し開閉自在であって表示画面が配置された短形板状の第２の筐体を備えたものであってもよい。
【００１６】
本発明は、ノートＰＣに好適に適用することができる。
【００１７】
以上説明したとおり、本発明によれば、ＩＣカードが挿抜に便利であってかつ温度の影響を受けにくい好適な位置に配置される。
【図面の簡単な説明】
【００１８】
【図１】本発明の一実施形態であるノートＰＣの、前方斜めから見て示した外観斜視図である。
【図２】本発明の一実施形態であるノートＰＣの、図１とは異なる方向から見て示した外観斜視図である。
【図３】本体ユニットの下面を示す図である。
【図４】本体ユニットの前端部のカードスロットの部分の拡大図である。
【図５】スロットカバーを開いた状態の拡大図である。
【図６】カードスロットにＢ−ＣＡＳカードを挿入した状態の拡大図である。
【図７】本体ユニットの下面を上にし下カバーを取り外して本体ユニットの内部を示した図である。
【図８】図７の一部分の拡大図である。
【発明を実施するための最良の形態】
【００１９】
以下、本発明の実施形態について説明する。【００２０】
図１，図２は、本発明の一実施形態であるノートＰＣの、前方斜めの互いに異なる方向から見て示した外観斜視図である。【００２１】
このノートＰＣ１０は、本体ユニット２０と表示ユニット３０とからなる２つの筐体を備えており、表示ユニット３０は、ヒンジ部４０で、本体ユニット２０に対し開閉自在に支持されている。【００２２】
本体ユニット２０には、上面にキーボード２１やトラックパッド２２等が備えられており、右側面には、後で詳細に説明する構成要素として、ＵＳＢコネクタ２３が、嵌合面を外に向けて配置されている。【００２３】
また、このノートＰＣ１０は、テレビ受像機能が内蔵されており、その本体ユニット２０の前端部には、ＩＣカードの一種であるＢ−ＣＡＳカードが挿抜自在に挿入されるカードスロットの開口を覆う、スロットカバー２４１が設けられている。ここで、Ｂ−ＣＡＳカードは、ＢＳ−Ｃｏｎｄｉｔｉｏｎａｌ  Ａｃｃｅｓｓ  Ｓｙｓｔｅｍｓ  Ｃａｒｄの略であり、デジタル放送を受信する機器（テレビやチューナー）などに添付されている、暗号を解除するための鍵データの記録されたＩＣカードである。【００２４】
また、表示ユニット３０は、その前面に大寸法の表示画面３１を有する。【００２５】
また、ヒンジ部４０は、表示ユニット３０を本体ユニット２０に開閉自在に支持させる構造を有している。【００２６】
図３は、本体ユニット２０の下面を示す図である。【００２７】
この本体ユニット２０の下面の、ヒンジ部４０に寄った位置に、ウーハスピーカ２５が覗いている。また、この本体ユニット２０の中央よりもヒンジ部４０側に寄った位置に本体ユニット内に空気を循環させるための空気孔２６が形成されている。これは、この本体ユニット２０の奥側半分の方が手前側半分と比べ発熱量が大きくなるように、ＣＰＵ等の発熱部品が本体ユニット２０の奥側に配置されていることによる。さらに、この本体ユニット２０の下面には、この本体ユニット２０を机上などに置いたときに、ウーハスピーカ２５や空気孔２６が接してしまわないように、本体ユニット２０の下面から少し突出した床置きパッド２７が配備されている。【００２８】
図４は、本体ユニット２０の前端部のカードスロットの部分の拡大図（スロットカバー閉の状態）、図５は、図４と同じ部分の、スロットカバーを開いた状態の拡大図、図６は、カードスロットにさらにＢ−ＣＡＳカードを挿入した状態の拡大図である。【００２９】
図４に示すように、本体ユニット２０の前端部には、カードスロットを覆うスロットカバー２４１が設けられており、そのスロットカバー２４１を開けると、図５に示すようにＢ−ＣＡＳカード挿入用のカードスロット２４２があらわれる。【００３０】
図６に示すようにそのカードスロット２４２にＢ−ＣＡＳカード４１が挿入され、そのＢ−ＣＡＳカード４１を挿入した状態でスロットカバー２４１が元の位置に被せられる。【００３１】
図７は、本体ユニットの下面を上にし下カバーを取り外して本体ユニットの内部を示した図、図８は、その一部分の拡大図である。【００３２】
カードスロット内に挿入されたＢ−ＣＡＳカード４１（図６参照）は、図７に示すカードドライブ５１により内部情報がアクセスされ、デジタルＴＶ放送の暗号が解除され、このノートＰＣ１０でテレビ映像がおよび音声を楽しむことができる。【００３３】
このカードドライブ５１の横にはハードディスク装置５２が搭載されている。Ｂ−ＣＡＳカード４１やハードディスク装置５２は熱に弱く、本体ユニット２０内の、発熱部品からは離れた、手前側半分の領域内に配置される。一方、本体ユニット２０の奥側半分には、ＣＰＵ５３や画像処理用のＬＳＩ５４やその他の発熱部品が集中しており、ファン５５，５６で空気流が形成されるなど、発熱と冷却が行なわれている。【００３４】
ここでは、上記のように、発熱部品を本体ユニット２０の奥側半分に配置して冷却するようにし、手前側には極力熱の影響が及ばないように構成して、その手前側の部分にＢ−ＣＡＳカード４１を配置するようにしたため、Ｂ−ＣＡＳカードの挿抜が容易であって、しかも本体ユニット２０内の発熱部品による発熱の影響が最小限に抑えられる。【００３５】
この図７ではカードドライブ５１の横にハードディスク装置５２を搭載した例を示しているが、記憶容量の増大のため、カードドライブ５１の下部になるように、すなわち、カードドライブ５１と重なるようにもう１つのハードディスク装置を搭載してもよい。【００３６】
尚、ここでは、本発明をノートＰＣに適用した例を説明したが、本発明は、ノートＰＣ以外の、パソコンや、さらには電子機器一般に適用することができる。
【図１】
2007086118.tif 000003
【図２】
2007086118.tif 000004
【図３】
2007086118.tif 000005
【図４】
2007086118.tif 000006
【図５】
2007086118.tif 000007
【図６】
2007086118.tif 000008
【図７】
2007086118.tif 000009
【図８】
2007086118.tif 000010
【国際調査報告】
2007086118.tif 000011
2007086118.tif 000012
2007086118.tif 000013
2007086118.tif 000014